(57)【要約】【課題】液晶装置の表面にゴミ等が付着し難い洗濯機を提供する。【解決手段】衣類を収容する洗濯槽と、この洗濯槽を内包する外槽と、運転内容を設定する操作部と、この操作部で設定された運転内容を知らせる表示部を有し、前記操作部と表示部が基板に設置された洗濯機において、前記表示部は、液晶装置と、この液晶装置を載置するハウジングと、前記液晶装置の表面を覆う液晶カバーを備え、前記液晶カバーの外周部に設けたカバー側係合部と、前記ハウジングの外周部に設けたハウジング側係合部により、前記液晶カバーを前記ハウジングに固定し、前記ハウジングの背面側を前記基板に取り付けた。【選択図】  図４
2013188273.tif 000002
【特許請求の範囲】
【請求項１】
衣類を収容する洗濯槽と、この洗濯槽を内包する外槽と、運転内容を設定する操作部と、この操作部で設定された運転内容を知らせる表示部を有し、前記操作部と表示部が基板に設置された洗濯機において、
前記表示部は、液晶装置と、この液晶装置を載置するハウジングと、前記液晶装置の表面を覆う液晶カバーを備え、
前記液晶カバーの外周部に設けたカバー側係合部と、前記ハウジングの外周部に設けたハウジング側係合部により、前記液晶カバーを前記ハウジングに固定し、
前記ハウジングの背面側を前記基板に取り付けたことを特徴とする洗濯機。
【請求項２】
請求項１において、
前記液晶カバーの内面外周部にゴムパッキンを嵌め込んだことを特徴とする洗濯機。
【請求項３】
操作部で設定された運転内容を知らせる洗濯機用表示ユニットにおいて、
液晶装置と、この液晶装置を載置するハウジングと、前記液晶装置の表面を覆う液晶カバーを備え、
前記液晶カバーの外周部に設けたカバー側係合部と、前記ハウジングの外周部に設けたハウジング側係合部により、前記液晶カバーを前記ハウジングに固定したことを特徴とする洗濯機用表示ユニット。
【発明の詳細な説明】
【技術分野】
【０００１】
本発明は、洗濯機に係り、特に、操作パネルの表面を覆うカバーに関するものである。
【背景技術】
【０００２】
一般の洗濯機では、運転内容を設定する操作部と、この操作部で設定された運転内容を知らせる表示部とを備えた操作パネルが設けられている。例えば、下記特許文献１には、表示部に液晶装置を採用し、操作パネル全体をカバーで覆うドラム式洗濯機の構造が開示されている。
【先行技術文献】
【特許文献】
【０００３】
【特許文献１】特開２００９−１８９６７８号公報
【発明の概要】
【発明が解決しようとする課題】
【０００４】
しかしながら、上述した従来の洗濯機は、液晶装置を有する表示部だけでなく、操作部も含めて、操作パネル全体をカバーで覆うものであり、そのカバーが基板に対して固定される構造となっている。このため、洗濯機全体を組み立てる際、表示部を操作部と共に基板へ取り付けた後になって初めて、液晶装置の表面がカバーで覆われることになる。したがって、表示部を洗濯機に取り付ける前は、クリーンルーム等で作業するなど慎重に管理しないと、液晶装置の表面にゴミ等が付着しやすい。
【０００５】
本発明の目的は、液晶装置の表面にゴミ等が付着し難い洗濯機を提供することにある。
【課題を解決するための手段】
【０００６】
衣類を収容する洗濯槽と、この洗濯槽を内包する外槽と、運転内容を設定する操作部と、この操作部で設定された運転内容を知らせる表示部を有し、前記操作部と表示部が基板に設置された洗濯機において、前記表示部は、液晶装置と、この液晶装置を載置するハウジングと、前記液晶装置の表面を覆う液晶カバーを備え、前記液晶カバーの外周部に設けたカバー側係合部と、前記ハウジングの外周部に設けたハウジング側係合部により、前記液晶カバーを前記ハウジングに固定し、前記ハウジングの背面側を前記基板に取り付けた。
【発明の効果】
【０００７】
本発明によれば、液晶装置の表面にゴミ等が付着し難い洗濯機を提供できる。
【図面の簡単な説明】
【０００８】
【図１】本発明の実施例に係る洗濯機の外観を示す図であり、（ａ）は平面図、（ｂ）は正面図である。
【図２】本発明の実施例に係る洗濯機の操作パネルを拡大した図である。
【図３】本発明の実施例に係る洗濯機の操作パネルの分解図である。
【図４】本発明の実施例に係る操作パネルの表示部を展開した図である。
【図５】本発明の実施例に係る液晶カバーの全体構造を示す図である。
【図６】図５のＡ部を拡大した図である。
【図７】本発明の実施例に係るゴムパッキンの全体構造を示す図である。
【図８】図７のＢ部を拡大した図である。
【図９】本発明の実施例に係るハウジングの全体構造を示す図である。
【図１０】液晶カバーを、ゴムパッキンと共にハウジングへ取り付けた状態を示す一部断面図である。
【発明を実施するための形態】
【０００９】
以下、本発明の実施例について、図面を用いて説明する。
【００１０】
図１は、本実施例に係るドラム式洗濯機１００の外観を示す図であり、（ａ）は平面図、（ｂ）は正面図である。
【００１１】
図１に示すように、ドラム式洗濯機１００は、外郭が鋼板と樹脂成型品とを組み合わせて構成された外枠１を有している。外枠１は、ベース１ｆを備えており、左右の側板１ａ，１ｂ、前面カバー１ｃ、背面カバー１ｄ及び上面カバー１ｅが、ベース１ｆの上方に取り付けられて、箱状の外枠１が形成されている。
【００１２】
前面カバー１ｃの略中央には、衣類等の洗濯物をドラム内に出し入れする投入口が形成されており、この投入口を介して洗濯物を出し入れする際に開閉されるドア７が、ヒンジ機構により開閉可能に取り付けられている。ドア７の右側には、ドア７のロック機構を解除するための取手７ａが設けられている。取手７ａを手前に引くことで、ロック機構が外れてドア７が開き、ドア７を前面カバー１ｃに押し付けることでロックされて閉じるようになっている。
【００１３】
また、外枠１の上部には、洗剤や仕上げ剤等を投入するための引出し式の洗剤ボックス（洗剤投入部）１２が配置され、この洗剤ボックス１２の右側には、操作パネル６が設けられている。
【００１４】
更に、図示しないが、ドラム式洗濯機１００の外枠１内に、衣類を収容する洗濯槽としてのドラムと、このドラムを内包する外槽とを備える。そして、ドラムに結合されたシャフトを駆動モータで回転することで、洗い工程、すすぎ工程、脱水工程などを行うことが可能となっている。尚、本実施例では、ドラム式洗濯機について述べるが、当然ながら乾燥機能の付いたものであっても良い。
【００１５】
図２に示す通り、操作パネル６は、運転内容を設定する操作部として、電源スイッチ２、操作スイッチ３及びコース設定ダイヤル４を備える。また、この操作パネル６は、操作部で設定された運転内容を知らせるための表示部５も有している。
【００１６】
ここで、操作スイッチ３は、洗い時間やすすぎ回数などを適宜変更するためのボタンであり、コース設定ダイヤル４は、念入りコースや毛布コース等の運転内容を適宜選択するものである。このコース設定ダイヤル４を回転させると、対応する運転コースが次々と切り替わり、該当する運転コース内容を示す場所にあるＬＥＤ８が点灯することで、利用者に知らせるようにしている。尚、コース設定ダイヤル４の底面側には、ダイヤル用ゴムパッキン１８が取り付けられており、コース設定ダイヤル４と同軸に設置されたロータリエンコーダ１７の部品内部に水が浸入するのを防いでいる。
【００１７】
図３は、操作部と表示部５とを基板１０に配置するときの位置関係を示す図である。基板１０には、ＬＥＤ８やハウジング１３が設置される。また、この基板１０を、基板ケース１１に装着し、ＬＥＤ支持部材９を基板１０の上に取り付けた状態で、ウレタン樹脂を注入することにより、防湿処理が行われる。
【００１８】
以下、表示部５の構造について、説明する。本実施例における表示部５は、図４に示す通り、バックライト等を保持するハウジング１３と、このハウジング１３の上面側に載置される液晶装置１６と、この液晶装置１６の表面を覆う樹脂製の液晶カバー１４と、ハウジング１３と液晶カバー１４との間の隙間から水が浸入するのを防ぐゴムパッキン１５を備えている。尚、本実施例における液晶装置１６は、液晶パネルの他、バックライト、このバックライトの光を拡散する導光板、視認方向に光を集める反射板などを含むものとする。
【００１９】
次に、液晶カバー１４の構造に関し、図５及び図６を用いて詳述する。図５の左側は、液晶カバー１４の裏面から見たときの平面図を示し、図５の右側は、横方向から見たときの断面図を示し、図５のＡ部を拡大したものが図６である。これらの図の通り、液晶カバー１４は、液晶装置１６の表面全体を覆うための表面部１４０と、この表面部１４０の周囲から裏面側に向かって延びる外周縁部１４１と、この外周縁部１４１の内側に位置して裏面方向へ延びる内周縁部１４２を有する。
【００２０】
まず、液晶カバー１４の外周縁部１４１は、その裏面方向先端に、複数の外周縁突部１４１ａが形成され、これら外周縁突部１４１ａには係合穴１４１ｂが設けられている。この係合穴１４１ｂが、後述するハウジング１３の周縁部１３２の壁面外側に設けられた係合爪１３２ａと嵌合することで、液晶カバー１４とハウジング１３とが係止される。
【００２１】
また、液晶カバー１４の内周縁部１４２は、液晶装置１６の周りを囲むような壁面で形成され、図７及び図８に示すゴムパッキン１５の溝１５ａが嵌合するようになっている。
【００２２】
続いて、ハウジング１３の構造に関し、図９を用いて詳述する。図９の左側は、ハウジング１３の表面から見たときの平面図を示し、図９の右側は、横方向から見たときの断面図を示している。図９の通り、ハウジング１３は、液晶装置１６の周りを囲むような壁面で形成された液晶収容部１３１と、この液晶収容部１３１の外側に位置して、表面側に向かって延びる周縁部１３２を有する。
【００２３】
ハウジング１３の周縁部１３２は、その壁面外側の複数箇所に係合爪１３２ａが設けられており、液晶カバー１４の係合穴１４１ｂと嵌合できるように構成されている。
【００２４】
ここで、表示部５をドラム式洗濯機１００の本体に取り付ける作業の工程について説明する。本実施例では、まず、液晶カバー１４の内周縁部１４２に対し、ゴムパッキン１５の溝１５ａを挿入し、液晶カバー１４にゴムパッキン１５を取り付ける。次に、液晶カバー１４の外周部に設けたカバー側係合部と、ハウジング１３の外周部に設けたハウジング側係合部とを嵌め合わせることにより、液晶カバー１４をハウジング１３に固定する。図１０は、このときの状態を示している。そして、これら液晶カバー１４とハウジング１３が一体となった状態で、ハウジング１３の裏面側を基板１０に取り付ける。
【００２５】
本実施例によれば、液晶カバー１４で液晶装置１６を覆った状態で、表示部５を一つのユニットとして、ドラム式洗濯機１００本体に設置できる。このため、剥き出しの液晶装置を基板に設置してからカバーで覆う場合と異なり、基板に設置する前の、液晶装置の搬送時に、液晶装置表面に埃が付着するのを防ぐことが可能である。換言すれば、表示部の搬送時に、ごみの付着を防ぐための特別な管理が不要となる。
【００２６】
更に、本実施例の液晶カバー１４は、ハウジング１３に対して取り付けるカバーであるため、ハウジングの全体を覆った上で基板に対して取り付けるようなカバーと比べて、カバー自体の構造が小さくて済む利点もある。
【００２７】
尚、本実施例では、液晶カバー１４とハウジング１３とを、液晶カバー１４に設けた係合穴１４１ｂとハウジング１３に設けた係合爪１３２ａとで固定したが、その他の方法によって液晶カバー１４とハウジング１３とを係合しても良い。
【符号の説明】
【００２８】
１  外枠
２  電源スイッチ
３  操作スイッチ
４  コース設定ダイヤル
５  表示部
６  操作パネル
７  ドア
８  ＬＥＤ
９  ＬＥＤ支持部材
１０  基板
１１  基板ケース
１２  洗剤ボックス
１３  ハウジング
１４  液晶カバー
１５  ゴムパッキン
１６  液晶装置
１７  ロータリエンコーダ
【図１】
2013188273.tif 000003
【図２】
2013188273.tif 000004
【図３】
2013188273.tif 000005
【図４】
2013188273.tif 000006
【図５】
2013188273.tif 000007
【図６】
2013188273.tif 000008
【図７】
2013188273.tif 000009
【図８】
2013188273.tif 000010
【図９】
2013188273.tif 000011
【図１０】
2013188273.tif 000012